(57)【特許請求の範囲】
【請求項１】
装着時に装着者の腹側に配される腹側シートと、装着時に装着者の背側に配される背側シートと、腹側シート及び背側シートに亘って固定部を介して固定された吸収性本体と、該吸収性本体の両側部に配された一対の立体ギャザーとを具備し、前記腹側シート及び前記背側シートそれぞれの両側縁部が接合されてウエスト開口部と一対のレッグ開口部とが形成されたパンツ型吸収性物品であって、
一対の前記立体ギャザーそれぞれは、前記パンツ型吸収性物品の展開且つ伸長状態において、立体ギャザー形成用シートと、該立体ギャザー形成用シートの長手方向に伸長状態で配された複数本の弾性部材とを有し、該立体ギャザー形成用シートは、前記吸収性本体の側縁部より幅方向外方に延出し、その長手方向の一端部が前記腹側シートに固定され、他端部が前記背側シートに固定されており、複数本の前記弾性部材の収縮により起立するように形成されており、
一対の前記立体ギャザーそれぞれは、前記吸収性本体の側縁部から幅方向外方に離れた位置に伸縮力の最も大きい第１弾性部材と、該第１弾性部材から更に幅方向外方に離れた位置に該第１弾性部材以外の前記弾性部材とを有し、
一対の前記立体ギャザーそれぞれは、前記吸収性本体の前記側縁部より幅方向外方であって、立体ギャザーとして機能する部分を四等分する四つの領域を有し、最内方領域に隣り合う第１領域に前記第1弾性部材が配され、該第１領域の伸縮力が最も大きいパンツ型吸収性物品。
【請求項２】
外装体と、外装体の内面側に固定されている吸収性本体と、該吸収性本体の両側部に配された一対の立体ギャザーとを具備し、前記外装体は、装着時に装着者の腹側に配される腹側部と、装着時に装着者の背側に配される背側部とを有し、前記腹側部及び前記背側部それぞれの両側縁部が接合されてウエスト開口部と一対のレッグ開口部とが形成されたパンツ型吸収性物品であって、
一対の前記立体ギャザーそれぞれは、前記パンツ型吸収性物品の展開且つ伸長状態において、立体ギャザー形成用シートと、該立体ギャザー形成用シートの長手方向に伸長状態で配された複数本の弾性部材とを有し、該立体ギャザー形成用シートは、前記吸収性本体の側縁部より幅方向外方に延出し、その長手方向の一端部が前記腹側シートに固定され、他端部が前記背側シートに固定されており、複数本の前記弾性部材の収縮により起立するように形成されており、
一対の前記立体ギャザーそれぞれは、前記吸収性本体の側縁部から幅方向外方に離れた位置に伸縮力の最も大きい第１弾性部材と、該第１弾性部材から更に幅方向外方に離れた位置に該第１弾性部材以外の前記弾性部材とを有し、
一対の前記立体ギャザーそれぞれは、前記吸収性本体の前記側縁部より幅方向外方であって、立体ギャザーとして機能する部分を四等分する四つの領域を有し、最内方領域に隣り合う第１領域に前記第1弾性部材が配され、該第１領域の伸縮力が最も大きいパンツ型吸収性物品。
【請求項３】
前記立体ギャザーの四つの前記領域における最外方領域の先端には、前記弾性部材が配されていない請求項１又は２に記載のパンツ型吸収性物品。
【請求項４】
前記立体ギャザーの四つの前記領域それぞれの収縮力は、最外方領域から前記第１領域に向かって、漸次大きくなる請求項１〜３の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、股間の隙間を軽減し、横漏れを軽減する立体ギャザーを備えたパンツ型吸収性物品が知られている。例えば、特許文献１には、前述のようなパンツ型吸収性物品として、吸液性コアの幅方向両側縁から外側へ延出したサイドフラップに弾性部材を伸長下に取り付け、サイドフラップの一部分を内側へ折り返し更にその折り返し部分の一部分を外側へ折り返して形成された立体ギャザーを備えた吸収性パッドが記載されている。
【０００３】
このような特許文献１に記載の吸収性パッドにおいては、装着時に装着者の股下に立体ギャザーを密着させ易く、横漏れを軽減することができる。しかしながら、特許文献１に記載の吸収性パッドにおいては、立体ギャザーがサイドフラップの一部分を一度内側へ折り返して形成されているため、装着時に立体ギャザーが内側に倒れて、吸収性パッドの吸液性コア排尿ポイントを塞いでしまい、横漏れを防止することができない。
【０００４】
また、例えば、特許文献２には、前述のようなパンツ型吸収性物品として、長手方向に沿って伸長状態の糸状の伸縮弾性部材を有する一対の立体ギャザーが配置されており、立体ギャザーは、その長手方向両端部の接着部において、立体ギャザーの先端部領域を残しておむつの上面に接着固定された使いすておむつが記載されている。
【０００５】
このような特許文献２に記載の使いすておむつにおいては、立体ギャザーが内側へ折り返して形成されておらず、横漏れを軽減することができる。しかしながら、特許文献２に記載の使いすておむつにおいては、立体ギャザーの先端部領域が、おむつの上面に接着固定されていないため、先端部領域が、折れ曲がる場合があり、やはり横漏れを防止することができない。
【先行技術文献】
【特許文献】
【０００６】
【特許文献１】特開平７−１１２００３号公報
【特許文献２】特表２００３−１８０７３９号公報
【発明の概要】
【発明が解決しようとする課題】
【０００７】
したがって、本発明の課題は、股間の隙間を軽減し、横漏れを防止できる立体ギャザーを備えたパンツ型吸収性物品を提供することにある。
【課題を解決するための手段】
【０００８】
本発明は、装着時に装着者の腹側に配される腹側シートと、装着時に装着者の背側に配される背側シートと、腹側シート及び背側シートに亘って固定部を介して固定された吸収性本体と、該吸収性本体の両側部に配された一対の立体ギャザーとを具備し、前記腹側シート及び前記背側シートそれぞれの両側縁部が接合されてウエスト開口部と一対のレッグ開口部とが形成されたパンツ型吸収性物品であって、一対の前記立体ギャザーそれぞれは、前記パンツ型吸収性物品の展開且つ伸長状態において、立体ギャザー形成用シートと、該立体ギャザー形成用シートの長手方向に伸長状態で配された複数本の弾性部材とを有し、該立体ギャザー形成用シートは、前記吸収性本体の側縁部より幅方向外方に延出し、その長手方向の一端部が前記腹側シートに固定され、他端部が前記背側シートに固定されており、複数本の前記弾性部材の収縮により起立するように形成されており、一対の前記立体ギャザーそれぞれは、前記吸収性本体の側縁部から幅方向外方に離れた位置に伸縮力の最も大きい第１弾性部材と、該第１弾性部材から更に幅方向外方に離れた位置に該第１弾性部材以外の前記弾性部材とを有するパンツ型吸収性物品を提供するものである。
【発明の効果】
【０００９】
本発明のパンツ型吸収性物品によれば、股間の隙間を軽減し、横漏れを防止することができる。
【図面の簡単な説明】
【００１０】
【図１】図１は、本発明の第１実施形態であるパンツ型使い捨ておむつの斜視図である。
【図２】図２は、図１に示すパンツ型使い捨ておむつを伸長させて拡げた状態を表面シート側から見た平面図である。
【図３】図３（ａ）は図２のＸ１−Ｘ１線断面図であり、図３（ｂ）は図２のＸ２−Ｘ２線断面図である。
【図４】図４は、図１に示すパンツ型使い捨ておむつを装着した際の状態を示す断面図である。
【図５】図５は、本発明の第２実施形態であるパンツ型使い捨ておむつを伸長させて拡げた状態を表面シート側から見た平面図である。
【図６】図６は、図５のＸ１−Ｘ１線断面図である。
【図７】図７は、本発明の第３実施形態であるパンツ型使い捨ておむつでのＸ１−Ｘ１線断面図である。
【図８】図８は、本発明の第３実施形態であるパンツ型使い捨ておむつを装着した状態でのＸ１−Ｘ１線断面図である。
【発明を実施するための形態】
【００１１】
以下、本発明のパンツ型吸収性物品を、その好ましい第１実施形態に基づき、図１〜図４を参照しながら説明する。
【００１２】
第１実施形態のパンツ型使い捨ておむつ１Ａ（以下、「おむつ１Ａ」ともいう。）は、図１に示すように、装着時に装着者の腹側に配される腹側シート２Ａと、装着時に装着者の背側に配される背側シート２Ｂと、腹側シート２Ａ及び背側シート２Ｂに亘って固定された吸収性本体３と、吸収性本体３の両側部３ｂ，３ｂに配された一対の立体ギャザー４，４とを具備し、腹側シート２Ａの両側縁部２ａ，２ａと背側シート２Ｂの両側縁部２ｂ，２ｂとが接合されてウエスト開口部ＷＯと一対のレッグ開口部ＬＯ，ＬＯとが形成されている。
おむつ１Ａは、図１〜図２に示すように、中心線ＣＬに対して左右対称に形成されている。従って以下の説明では、左右対称な部分については、主に、右側について説明する。
【００１３】
第１実施形態のおむつ１Ａについて、詳述すると、おむつ１Ａは、おむつ１の伸長状態（図２参照）において、その長手方向（以下「Ｙ方向」という。Ｙ方向：中心線ＣＬに平行な方向をいう。）に、装着時に、装着者の腹側に配される腹側部Ａと、装着者の背側に配される背側部Ｂと、腹側部Ａと背側部Ｂとの間に位置し、装着者の股間部に配される股下部Ｃを有している。尚、おむつ１Ａの幅方向は、その長手方向（Ｙ方向）に直交する方向（以下「Ｘ方向」という。）である。
【００１４】
第１実施形態のおむつ１Ａについては、腹側シート２Ａは、図２に示すように、腹側シート本体２０Ａ、及び装着時に腹側シート本体２０Ａの下縁２００に沿って下方に延出する腹側延出部分２１Ａを備えている。ここで、「下方」とは、おむつ１Ａの長手方向（Ｙ方向）におけるおむつ１Ａの中心ＣＴ（図２参照）に向かう方向を意味する。具体的には、腹側シート本体２０Ａは、おむつ１の伸長状態（図２参照）において、おむつ幅方向（Ｘ方向）に長い長方形状をなしており、おむつ長手方向（Ｙ方向）に沿う左右一対の側縁部２０ａ，２０ａを有している。腹側延出部分２１Ａは、腹側シート本体２０Ａの下縁２００に沿って腹側シート本体２０Ａから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ａ，２１ａを有している。
【００１５】
本発明においては、背側シート２Ｂは、図２に示すように、背側シート本体２０Ｂ及び装着時に背側シート本体２０Ｂの下縁２００に沿って下方に延出する背側延出部分２１Ｂを備えている。ここで、「下方」とは、腹側シート２Ａと同様に、おむつ１Ａの長手方向（Ｙ方向）におけるおむつ１Ａの中心ＣＴ（図２参照）に向かう方向を意味する。具体的には、背側シート本体２０Ｂは、おむつ１の伸長状態（図２参照）において、おむつ幅方向（Ｘ方向）に長い長方形状をなしており、おむつ長手方向（Ｙ方向）に沿う左右一対の側縁部２０ｂ，２０ｂを有している。背側延出部分２１Ｂは、背側シート本体２０Ｂの下縁２００に沿って背側シート本体２０Ｂから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ｂ，２１ｂを有している。
【００１６】
第１実施形態のおむつ１Ａについては、腹側シート２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、腹側シート本体２０Ａの側縁部２０ａ，２０ａと背側シート本体２０Ｂの側縁部２０ｂ，２０ｂとは全域で接合され、腹側延出部分２１Ａの側縁部２１ａ，２１ａと背側シート本体２０Ｂの側縁部２１ｂ，２１ｂとは接合されていない。このように、腹側シート本体２０Ａの側縁部２０ａ，２０ａと背側シート本体２０Ｂの側縁部２０ｂ，２０ｂとが接合されて、おむつ１Ａには、サイドシール部５，５、ウエスト開口部ＷＯと一対のレッグ開口部ＬＯ，ＬＯとが形成される。この接合には、例えばヒートシール、高周波シール、超音波シール、接着剤等が用いられる。
【００１７】
図１に示すサイドシール部５の長手方向（Ｙ方向）の長さは、図２に示すように、腹側シート本体２０Ａ及び背側シート本体２０Ｂの長手方向（Ｙ方向）の長さＬ１と同じであり、腹側シート２Ａの長手方向（Ｙ方向）の長さＬａ及び背側シート２Ｂの長手方向（Ｙ方向）の長さＬｂの何れよりも短く形成されている。腹側シート２Ａには、サイドシール部５より下方に延出する、長手方向（Ｙ方向）の長さＬ２の腹側延出部分２１Ａが形成されており、背側シート２Ｂには、サイドシール部５より下方に延出する、長手方向（Ｙ方向）の長さＬ３の背側延出部分２１Ｂが形成されている。
【００１８】
装着時に装着者の背側において、装着者の臀部を十分に被覆する観点から、おむつ１Ａにおける腹側延出部分２１Ａ及び背側延出部分２１Ｂは、それらの延出開始位置が、おむつ１Ａの装着時における装着者の鼠径部に対応する位置であることが好ましい。具体的には、腹側延出部分２１Ａの長さＬ２は、サイドシール部５（腹側シート本体２０Ａ）の長さＬ１の５〜１５０％であることが好ましく、２５〜７０％であることがより好ましい。更に、腹側延出部分２１Ａの長さＬ２は、腹側シート２Ａの長さＬａの５〜６０％であることが好ましく、２０〜４０％であることがより好ましい。背側延出部分２１Ｂの長さＬ３は、サイドシール部５（背側シート本体２０Ｂ）の長さＬ１の５〜１５０％であることが好ましく、２５〜７０％であることがより好ましい。更に、背側延出部分２１Ｂの長さＬ３は、背側シート２Ｂの長さＬｂの５〜６０％であることが好ましく、２０〜４０％であることがより好ましい。尚、腹側延出部分２１Ａ及び背側延出部分２１Ｂそれぞれの延出長さＬ２，Ｌ３は、１０ｍｍ以上であることが好ましく、２０ｍｍ以上であることがより好ましい。
【００１９】
腹側シート２Ａ及び背側シート２Ｂは、装着者を前側から見たときに見える肌の露出部分を減らして漏れに対する不安感を低減する観点からは、腹側延出部分２１Ａの延出長さＬ２と背側延出部分２１Ｂの延出長さＬ３とがほぼ等しいことが好ましい。
【００２０】
他方、腹側シート２Ａ及び背側シート２Ｂは、臀部を被覆して過度の露出を防止しつつ、装着者の股部前側もある程度覆うようにした外観に優れたおむつを形成する観点観点からは、背側延出部分２１Ｂの延出長さＬ３を腹側延出部分２１Ａの延出長さＬ２よりも長くすることが好ましい。
【００２１】
腹側シート２Ａ及び背側シート２Ｂとしては、シート間に伸長状態で配された弾性部材の収縮によりギャザーを形成し伸縮性を発現するもの、又は、不織布自体が伸縮性を有する伸縮不織布を用いることができる。おむつ１Ａにおいては、図２，図３に示すように、おむつの外面をなす外層シート２２と、外層シート２２の内面側に配された内層シート２３と、両シート２２，２３間に伸長状態で配された複数本の糸状の弾性部材２４（図３（ｂ）参照）とを備え、弾性部材２４の収縮により伸縮性を発現している。第１実施形態のおむつ１Ａにおいては、外層シート２２は、図２に示すように、外層シート２２と内層シート２３とによって複数本の糸状の弾性部材２４を挟持固定する領域よりも更に長手方向（Ｙ方向）に延出する長さを有している。外層シート２２における内層シート２３よりも延出した延出領域は、吸収性本体３側に折り返され、吸収性本体３の長手方向（Ｙ方向）の端部３ａを覆う位置まで延出しており、吸収性本体３の長手方向端部３ａと重なる部分が、吸収性本体３の幅方向（Ｘ方向）の全域に亘って接着剤（図示せず）を介して接着されている。
【００２２】
吸収性本体３は、図２，図３に示すように、実質的に縦長の長方形状であり、表面シート３１、裏面シート３２、両シート３１，３２間に介在する吸収体３３を備えている。具体的には、おむつ１Ａにおいては、吸収性本体３は、図２に示すように、液透過性の表面シート３１、液不透過性（液難透過性）の裏面シート３２及び両シート３１，３２間に介在された吸収体３３を有し、おむつ１Ａの長手方向（Ｙ方向）に長い長方形状である。吸収体３３も、図２に示すように、おむつ１Ａの長手方向（Ｙ方向）に長い長方形状であり、表面シート３１及び裏面シート３２の何れも、図２に示すように、それぞれおむつ１Ａの長手方向（Ｙ方向）に長い長方形状である。表面シート３１は、図３（ａ）に示すように、裏面シート３２よりも幅方向（Ｘ方向）に長く、吸収体３３の幅方向（Ｘ方向）の外方端縁から延出した部分が、吸収体３３の非肌当接面側に折り返され裏面シート３２に接合され、且つ表面シート３１及び裏面シート３２は、吸収体３３の長手方向（Ｙ方向）の両端縁から延出した部分において互いに接合されている。このように接合することにより、縦長の長方形状の吸収性本体３が形成されている。
【００２３】
吸収性本体３は、図２，図３に示すように、吸収性本体３の両側部３ｂ，３ｂに一対の立体ギャザー４，４が配されている。一対の立体ギャザー４，４それぞれは、パンツ型吸収性物品の展開且つ伸長状態において、立体ギャザー形成用シート４０と、立体ギャザー形成用シート４０の長手方向（Ｙ方向）に伸長状態で配された複数本の弾性部材４１とを有している。具体的には、一対の立体ギャザー４，４それぞれは、図３に示すように、表面シート３１側に配される内側形成シート４２及び裏面シート３２側に配される外側形成シート４３から形成される立体ギャザー形成用シート４０と、内側形成シート４２及び外側形成シート４３の間に、長手方向（Ｙ方向）に伸長状態で配された複数本の弾性部材４１とを有している。尚、第１実施形態においては、立体ギャザー形成用シート４０は、おむつ１Ａの長手方向（Ｙ方向）に長い長方形状の一枚のシートを、幅方向（Ｘ方向）に略半分となる位置で折り返して形成された、内側形成シート４２及び外側形成シート４３から形成されているが、おむつ１Ａの長手方向（Ｙ方向）に長い長方形状の一枚の内側形成シート４２と、内側形成シート４２とは別に、おむつ１Ａの長手方向（Ｙ方向）に長い、内側形成シート４２と同形同大の長方形状の一枚の外側形成シート４３とから形成されていてもよい。
【００２４】
立体ギャザー形成用シート４０は、図３（ａ），図３（ｂ）に示すように、吸収性本体３の側縁部３ｂより幅方向（Ｘ方向）外方に延出し、図２に示すように、立体ギャザー形成用シート４０の長手方向（Ｙ方向）の一端部４０ａが腹側シート２Ａに固定され、他端部４０ｂが背側シート２Ｂに固定されており、複数本の弾性部材４１の収縮により起立するように形成されている。立体ギャザー形成用シート４０の一端部４０ａは、図２に示すように、全面域で腹側シート２Ａに固定され、立体ギャザー形成用シート４０の他端部４０ｂは、全面域で背側シート２Ｂに固定されている。
【００２５】
一対の立体ギャザー４，４それぞれは、図３（ａ）に示すように、股下部Ｃにおいて、吸収性本体３の側縁部３ｂ１から幅方向（Ｘ方向）外方に離れた位置に伸縮力の最も大きい第１弾性部材４１ａと、第１弾性部材４１ａから更に幅方向（Ｘ方向）外方に離れた位置に第１弾性部材４１ａ以外の弾性部材４１とを有している。即ち、図３（ａ）に示すように、第１弾性部材４１ａから幅方向（Ｘ方向）内方には、第１弾性部材４１ａ以外の弾性部材４１が配されていない。弾性部材４１の伸縮力は、その太さ（ｄｔｅｘ）を太くしたり、配される弾性部材４１の伸長率を高くしたりすることにより、大きくすることができる。尚、弾性部材４１の伸長率は、自然状態での長さをａ、伸長させたときの長さをｂとした場合に、（（ｂ−ａ）／ａ）×１００から算出される値である。
【００２６】
第１弾性部材４１ａの伸縮力は、足周りに隙間なくフィットして排泄物の漏れ防止すると共に、足周りを過度に締め付けすぎずにゴム跡を低減する観点から、７０％伸長させた状態での応力が、５〜５０ｃＮであることが好ましく、１０〜４０ｃＮであることが更に好ましい。第１弾性部材４１ａ以外の弾性部材４１の伸縮力は、定常的に第１弾性部材４１ａよりも外周側の足周りにフィットさせるの観点から、７０％伸長させた状態での応力が、０．１〜４０ｃＮであることが好ましく、０．１〜３５ｃＮであることが更に好ましい。
【００２７】
複数本の弾性部材４１それぞれは、図２に示すように、少なくとも股下部Ｃに配されていることが好ましい。第１実施形態のおむつ１Ａにおいては、腹側シート２Ａの腹側シート本体２０Ａから背側シート２Ｂの背側シート本体２０Ｂに亘って配されているが、図３（ｂ）に示すように、立体ギャザー形成用シート４０の一端部４０ａ及び他端部４０ｂに至るまでは配されていない。弾性部材４１は、内側形成シート４２及び外側形成シート４３の間に、２本〜１０本配されていることが好ましく、第１実施形態のおむつ１Ａにおいては、三本配されている。即ち、一本の第１弾性部材４１ａと、第１弾性部材４１ａ以外の二本の弾性部材４１である。
【００２８】
第１実施形態のおむつ１Ａにおいては、一対の立体ギャザー４，４それぞれは、図３（ａ）に示すように、吸収性本体３の側縁部３ｂ１より幅方向（Ｘ方向）外方であって、立体ギャザーとして機能する部分を四等分する四つの領域Ｄ，Ｅ，Ｆ，Ｇを有し、最内方領域Ｄに隣り合う第１領域Ｅに第1弾性部材４１ａが配され、第１領域Ｅの伸縮力が最も大きい。ここで、「立体ギャザーとして機能する部分」とは、股下部Ｃにおいて、実質的に起立して防漏壁を形成する部分のことを意味し、立体ギャザー形成用シート４０と表面シート３１と裏面シート３２とが固定された固定部６と、吸収性本体３の側縁部３ｂ１との位置関係により定められる。即ち、「立体ギャザーとして機能する部分」とは、図３（ａ）に示すように、吸収性本体３の側縁部３ｂ１が固定部６より幅方向（Ｘ方向）外方に位置する場合には、立体ギャザー４における側縁部３ｂ１から幅方向（Ｘ方向）外方の部分のことを意味し、後述する図６に示すように、固定部６が吸収性本体３の側縁部３ｂ１より幅方向（Ｘ方向）外方に位置する場合には、立体ギャザー４における固定部６から幅方向（Ｘ方向）外方の部分のことを意味する。
【００２９】
具体的には、第１実施形態のおむつ１Ａの一対の立体ギャザー４，４それぞれは、図３（ａ）に示すように、吸収性本体３の側縁部３ｂ１から幅方向（Ｘ方向）に延出する部分の幅方向（Ｘ方向）の長さＷ１を四等分した、中心線ＣＬ寄りの最内方領域Ｄと、最内方領域Ｄに隣り合う第１領域Ｅと、第１領域Ｅの外方側に隣り合う領域Ｆと、最外方領域Ｇとを有している。立体ギャザー４の幅Ｗ１は、２０ｍｍ〜８０ｍｍであることが好ましく、２０ｍｍ〜５０ｍｍであることが更に好ましい。上述したように、第１領域Ｅに第1弾性部材４１ａが配され、第1弾性部材４１ａより幅方向（Ｘ方向）内方には、弾性部材４１が配されていない。その為、最内方領域Ｄには弾性部材が配されていない。第１実施形態のおむつ１Ａにおいては、四つの領域Ｄ，Ｅ，Ｆ，Ｇそれぞれの収縮力は、最外方領域Ｇから第１領域Ｅに向かって、漸次大きくなっている。即ち、第１領域Ｅの収縮力は、領域Ｆの収縮力より大きく、領域Ｆの収縮力は、最外方領域Ｇの収縮力より大きい。
【００３０】
最外方領域Ｇの収縮力は、装着時に太腿周りに立体ギャザー４を平面的にフィットさせる観点から、０〜４０ｃＮであることが好ましく、０〜３０ｃＮであることが更に好ましく、領域Ｆの収縮力は、０．１〜４０ｃＮであることが好ましく、０．１〜３５ｃＮであることが更に好ましく、第１領域Ｅの収縮力は、１〜５０ｃＮであることが好ましく、５〜４０ｃＮであることが更に好ましい。
三つの領域Ｅ，Ｆ，Ｇそれぞれの収縮力は、（株）ＯＲＩＥＮＴＥＣ社製のテンシロン万能試験機（ＲＴＣ−１２１０Ａ）によって測定される。具体的な測定法は以下の通りである。
【００３１】
＜三つの領域Ｅ，Ｆ，Ｇそれぞれの収縮力の測定方法＞
おむつ１Ａにおいては、おむつ１Ａを、図２に示すように、展開して伸長させて平面状に拡げ、股下部Ｃにおいて、吸収性本体３のの側縁部３ｂ１から幅方向（Ｘ方向）外方に延出する立体ギャザー４の部分を、長手方向（Ｙ方向）に３３０ｍｍの大きさにカットして取り出す。取り出した立体ギャザー４の部分を、伸長させて平面状に拡げ、幅方向（Ｘ方向）に四等分して、最内方領域Ｄ、第１領域Ｅ、領域Ｆ及び最外方領域Ｇをそれぞれ切り出し、切り出した第１領域Ｅ、領域Ｆ及び最外方領域Ｇのサンプルを試験サンプルとする。切り出した各領域（試験サンプル）の長手方向（Ｙ方向）の両端を、テンシロン引張試験機（ＯＲＩＥＮＴＥＣ社製  「ＲＴＣ−１２１０Ａ」）のチャックに挟み、各測定サンプルを３００ｍｍ／ｍｉｎの速度で長手方向（Ｙ方向）に伸長させ、弾性部材４１により立体ギャザー形成用シート４０が収縮していない状態で測定した試験サンプルの長さを１００（例えば１００ｍｍ）としたときの、８０相当（例えば８０ｍｍ）の長さまで伸長させたときの引張り荷重（ｃＮ）を読み取る。測定を３回行いその平均値を算出して各試験サンプルの収縮力の値とする。
【００３２】
第１領域Ｅの収縮力が領域Ｆの収縮力より大きく、領域Ｆの収縮力が最外方領域Ｇの収縮力より大きく形成するために、最外方領域Ｇから第１領域Ｅに向かって、配される弾性部材４１の太さ（ｄｔｅｘ）を太くしてもよく、配される弾性部材４１の伸長率を高くしてもよく、最外方領域Ｇから第１領域Ｅに向かって、各領域に配される弾性部材４１の本数を多くし、その間隔を狭くしてもよく、これらの組み合わせであってもよい。
【００３３】
図２，図３（ａ）に示すように、第１実施形態のおむつ１Ａにおいては、第１弾性部材４１ａが第１領域Ｅに配され、第１弾性部材４１ａ以外の弾性部材４１が領域Ｆ及び最外方領域Ｇそれぞれに一本ずつ配されている。その際、各領域Ｅ，Ｆ，Ｇに配された弾性部材４１の太さが同じ場合には、第１領域Ｅに配された第１弾性部材４１ａの伸長率が５０％〜３００％であることが好ましく、領域Ｆに配された弾性部材４１の伸長率が１０％〜２５０％であることが好ましく、最外方領域Ｇに配された弾性部材４１の伸長率が５％〜２５０％であることが好ましい。また、各領域Ｅ，Ｆ，Ｇに配された弾性部材４１の伸長率が同じ場合には、第１領域Ｅに配された第１弾性部材４１ａの太さが、１５６ｄｔｅｘ〜１８８０ｄｔｅｘであることが好ましく、領域Ｆに配された弾性部材４１の太さが、１１７ｄｔｅｘ〜１２４０ｄｔｅｘであることが好ましく、最外方領域Ｇに配された弾性部材４１の太さが、７８ｄｔｅｘ〜９４０ｄｔｅｘであることが好ましい。尚、各領域Ｅ，Ｆ，Ｇに配されている弾性部材４１の一本とは、複数本の弾性部材同士が近接して一本の弾性部材と同視できる程度のものを含む。
【００３４】
第１実施形態のおむつ１Ａにおいて、第１弾性部材４１ａが第１領域Ｅに配される場合には、第１領域Ｅ内であれば何れの位置でもよく、具体的には、第１弾性部材４１ａの配置位置は、第１領域ＥのＸ方向外方端でもよく、第１領域ＥのＸ方向内方端でもよく、第１領域ＥのＸ方向外方端と第１領域ＥのＸ方向内方端との間であればよい。
【００３５】
上述したように、第１領域Ｅの収縮力が領域Ｆの収縮力より大きく、領域Ｆの収縮力が最外方領域Ｇの収縮力より大きく形成するために、各領域Ｅ，Ｆ，Ｇに配される弾性部材４１の本数を、最外方領域Ｇから第１領域Ｅに向かって、多くし、隣り合う弾性部材４１同士の間隔を狭くする場合には、装着時に最外方領域Ｇの先端のみが線状に脚回りにフィットするのではなく、最外方領域Ｆを面状に脚回りにフィットさせる観点から、最外方領域Ｇの先端（外方端）Ｇ１には、弾性部材４１が配されていないことが好ましい。
【００３６】
第１実施形態のおむつ１Ａの股下部Ｃにおいては、図３（ａ）に示すように、吸収体３３は、吸収体３３の両側部３３ｂ，３３ｂそれぞれと、両側部３３ｂ，３３ｂに挟まれた中央部３３ｃとの間に、吸収体３３（吸収体のコア）の配されていない一対の空間部３３ａ，３３ａを有している。おむつ１Ｂにおける吸収体３３の空間部３３ａは、股下部Ｃにおいて吸収体３３の長手方向（Ｙ方向）に延在するように形成されている。
【００３７】
吸収性本体３は、図２に示すように、腹側シート２Ａ及び背側シート２Ｂに亘って固定されている。具体的には、吸収性本体３は、図２に示すように、腹側シート２Ａと交差するように配され、その中央部において、腹側シート本体２０Ａ及び腹側延出部分２１Ａと固定され、背側シート２Ｂと交差するように配され、その中央部において、背側シート本体２０Ｂ及び背側延出部分２１Ｂと固定されている。吸収性本体３の両側部３ｂ，３ｂそれぞれは、図３（ａ）に示すように、腹側シート本体２０Ａ、腹側延出部分２１Ａ、背側シート本体２０Ｂ、及び背側延出部分２１Ｂと固定されておらず、おむつの装着時に、長手方向（Ｙ方向）に伸長した状態で配されている弾性部材４１の収縮により、おむつの装着時に立体ギャザー４が起立し易いように形成されている。また、第１実施形態のおむつ１Ａの股下部Ｃにおいては、図３（ａ）に示すように、吸収体３３が一対の空間部３３ａ，３３ａを有しているため、おむつの装着時に、長手方向（Ｙ方向）に伸長した状態で配されている弾性部材４１の収縮により、おむつの装着時に立体ギャザー４がさらに起立し易いように形成されている。
尚、吸収性本体３は、その中央部が腹側シート本体２０Ａ、腹側延出部分２１Ａ、背側シート本体２０Ｂ、及び背側延出部分２１Ｂと固定されておらず、上述したように、その長手方向（Ｙ方向）の端部３ａのみが、外層シート２２における内層シート２３よりも延出した延出領域と内層シート２３との間で接着されていてもよい。
【００３８】
第１実施形態のパンツ型使い捨ておむつ１Ａの形成材料について説明する。
腹側シート２Ａ及び背側シート２Ｂを構成する外層シート２２と内層シート２３としては、通常、使い捨ておむつ等の吸収性物品に用いられるものであれば、特に制限なく用いることができる。例えば、外層シート２２及び内層シート２３としては、撥水性の不織布等を用いることができる。
【００３９】
吸収性本体３を構成する表面シート３１、裏面シート３２及び吸収体３３としては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コアをティッシュペーパ（図示せず）によって被覆されているものを用いることができる。
【００４０】
立体ギャザー４を形成する立体ギャザー形成用シート４０としては、通常、使い捨ておむつ等の吸収性物品に用いられるものであれば、特に制限なく用いることができる。例えば、立体ギャザー形成用シート４０としては、液抵抗性又は撥水性で且つ通気性の、伸縮性フィルム、不織布、織物またはそれらの積層シート等を用いることができる。
【００４１】
腹側シート２Ａ及び背側シート２Ｂに配される弾性部材２４、立体ギャザー形成用シート４０に配される弾性部材４１（第１弾性部材４１ａを含む）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる
【００４２】
吸収性本体３と、腹側シート２Ａ及び背側シート２Ｂとの固定手段としては、通常、使い捨ておむつ等の吸収性物品に用いられる接着剤や、ヒートエンボス、超音波エンボス、高周波エンボス等の融着手段が用いられる。表面シート３１、裏面シート３２、立体ギャザー形成用シート４０の固定も同様に、通常、使い捨ておむつ等の吸収性物品に用いられる接着剤やヒートエンボス、超音波エンボス、高周波エンボス等の融着手段が用いられる。サイドシール部５，５の接合には、例えばヒートシール、高周波シール、超音波シール、接着剤等が用いられる。
【００４３】
上述した本発明の第１施形態のパンツ型使い捨ておむつ１Ａを使用した際の作用効果について説明する。
第１実施形態のおむつ１Ａは、図１，図２に示すように、装着時に装着者の腹側に配される腹側シート２Ａと、装着時に装着者の背側に配される背側シート２Ｂと、腹側シート２Ａ及び背側シート２Ｂの中央部に亘って固定された吸収性本体３とを具備するパンツ型使い捨ておむつであるため、脚を動かし易い。また、第１実施形態のおむつ１Ａは、図１，図２に示すように、背側シート２Ｂは、背側シート本体２０Ｂの下縁２００に沿って下方に延出する背側延出部分２１Ｂを備えているため、装着者の臀部を十分に被覆することができる。また、第１実施形態のおむつ１Ａは、立体ギャザー４が、それを形成する立体ギャザー形成用シート４０を、図３（ａ），図３（ｂ）に示すように、吸収性本体３の側縁部３ｂから幅方向（Ｘ方向）外方に延出させ、図２に示すように、立体ギャザー形成用シート４０の長手方向（Ｙ方向）の一端部４０ａを腹側シート２Ａに固定し、他端部４０ｂを背側シート２Ｂに固定して、弾性部材４１の収縮により起立するように形成されている。その為、立体ギャザー４の最外方領域Ｇの先端（外方端）Ｇ１が、折れ曲がり難い。更に、第１実施形態のおむつ１Ａは、立体ギャザー４が、図３（ａ）に示すように、吸収性本体３の側縁部３ｂ１から幅方向（Ｘ方向）外方に離れた位置に伸縮力の最も大きい第１弾性部材４１ａと、第１弾性部材４１ａから更に幅方向（Ｘ方向）外方に離れた位置に第１弾性部材４１ａ以外の弾性部材４１とを有している。即ち、図３（ａ）に示すように、第１弾性部材４１ａから幅方向（Ｘ方向）内方には、第１弾性部材４１ａ以外の弾性部材４１が配されていない。その為、立体ギャザー４が起立し易く、股間の隙間を軽減し、横漏れを防止することができる。
【００４４】
また、第１実施形態のおむつ１Ａにおいては、図３（ａ）に示すように、立体ギャザー４は、立体ギャザーとして機能する部分を四等分する四つの領域Ｄ，Ｅ，Ｆ，Ｇを有し、第１領域Ｅに第１弾性部材４１ａが配され、第１領域Ｅの伸縮力が最も大きくなるように形成されている。その為、立体ギャザー４は、装着時に、図４に示すように、第１領域Ｅの第１弾性部材４１ａを起点に装着者側に折れ曲がり易く、太腿周りに、立体ギャザー４の第１領域Ｅから最外方領域Ｇに亘る領域を平面的にフィットさせることができるので、更に股間の隙間を軽減し、横漏れを防止することができる。
【００４５】
また、第１実施形態のおむつ１Ａにおいては、図３（ａ）に示すように、三つの領域Ｅ，Ｆ，Ｇそれぞれの収縮力が、最外方領域Ｇから第１領域Ｅに向かって、漸次大きくなっている。その為、立体ギャザー４は、図４に示すように、装着時に、太腿周りに、立体ギャザー４の第１領域Ｅから最外方領域Ｇに亘る領域を平面的に更にフィットさせることができるので、股間の隙間を更に軽減し、横漏れを更に防止することができる。
【００４６】
次に、本発明の第２実施形態のパンツ型使い捨ておむつについて、図５，図６に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４７】
第２実施形態のおむつ１Ｂは、図５に示すように、その外装体が１つからなる点が、腹側シート２Ａと背側シート２Ｂとの２つからなるおむつ１Ａの外装体と異なる。また、第２実施形態のおむつ１Ｂは、図６に示すように、吸収性本体３の両側部３ｂ，３ｂそれぞれに二対の立体ギャザー４ａ，４ｂが配されている点が、一対の立体ギャザー４のみが配されたおむつ１Ａと異なる。
【００４８】
おむつ１Ｂには、その外装体２が、装着時に装着者の腹側に配される腹側部Ａと、装着時に装着者の背側に配される背側部Ｂとを有し、腹側部Ａの両側縁部２ａ，２ａそれぞれと背側部Ｂの両側縁部２ｂ，２ｂそれぞれとが接合されてウエスト開口部ＷＯと一対のレッグ開口部ＬＯ，ＬＯとが形成される。
【００４９】
外装体２は、図５に示すように、その両側縁が、長手方向（Ｙ方向）中央部において内方に括れた形状を有している。また、外装体２は、図５に示すように、おむつの外面をなす外層シート２２、外層シート２２の内面側に配されている内層シート２３及び両シート２２，２３間に配設された複数本の弾性部材２４を備えており、外層シート２１及び内層シート２２は、それぞれ、腹側部Ａ、股下部Ｃ及び背側部Ｂに亘って連続する一枚のシートからなる。
【００５０】
第２実施形態のおむつ１Ｂにおいては、第１実施形態のおむつ１Ａと同様に、外層シート２２は、図５に示すように、外層シート２２と内層シート２３とによって複数本の糸状の弾性部材２４を挟持固定する領域よりも更に長手方向（Ｙ方向）に延出する長さを有している。外層シート２２における内層シート２３よりも延出した延出領域は、吸収性本体３側に折り返され、吸収性本体３の長手方向（Ｙ方向）の端部３ａを覆う位置まで延出しており、吸収性本体３の長手方向端部３ａと重なる部分が、吸収性本体３の幅方向（Ｘ方向）の全域に亘って接着剤（図示せず）を介して接着されている。
【００５１】
吸収性本体３は、図５，図６に示すように、吸収性本体３の両側部３ｂ，３ｂそれぞれに二対の立体ギャザー（第１立体ギャザー４ａ，第２立体ギャザー４ｂ）が配されている。第２実施形態のおむつ１Ｂにおいては、表面シート３１が、図６に示すように、裏面シート３２よりも幅方向（Ｘ方向）に長く、吸収体３３の幅方向（Ｘ方向）の外方端縁から延出した部分が、裏面シート３２に接合され、且つ表面シート３１及び裏面シート３２は、吸収体３３の長手方向（Ｙ方向）の両端縁から延出した部分において互いに接合されている。このように接合することにより、縦長の長方形状の吸収性本体３が形成されている。
【００５２】
各第１立体ギャザー４ａ及び各第２立体ギャザー４ｂそれぞれは、パンツ型吸収性物品の展開且つ伸長状態において、立体ギャザー形成用シート４０と、立体ギャザー形成用シート４０の長手方向（Ｙ方向）に伸長状態で配された複数本の弾性部材４１とを有している。具体的には、第２実施形態のおむつ１Ｂにおいては、図６に示すように、立体ギャザー形成用シート４０は、一枚のシートであり、第２立体ギャザー４ｂの自由端側の頂部となる折れ線に沿って二つ折りされて二枚重ねのシートとされ、この二枚重ねのシートの間に長手方向（Ｙ方向）に伸長状態の複数本の弾性部材４１を配して接着剤により固定して第２立体ギャザー４ｂが形成されている。さらに、第２実施形態のおむつ１Ｂにおいては、図６に示すように、二枚重ねのシートは、幅方向（Ｘ方向）の外方に延出し、第１立体ギャザー４ａの自由端側の頂部となる折れ線に沿って更に二つ折りされて四枚重ねのシートとされ、この四枚重ねのシートを構成する二枚重ねのシート同士の間に長手方向（Ｙ方向）に伸長状態の複数本の弾性部材４１を配して接着剤により固定して第１立体ギャザー４ａが形成されている。第２実施形態のおむつ１Ｂにおいては、図６に示すように、二枚重ねのシートの先端部は、最終的に、表面シート３１又は吸収体３３と、裏面シート３２との間に配され、二枚重ねのシートは固定部６にて固定されている。各第２立体ギャザー４ｂは、複数本の弾性部材４１の収縮により、装着者の肌側に向かって起立するように形成されている。第２実施形態のおむつ１Ｂの第１立体ギャザー４ａは、第１実施形態のおむつ１Ａの立体ギャザー４と同様に、複数本の弾性部材４１の収縮により起立するように形成されている。
【００５３】
第２実施形態のおむつ１Ｂにおいては、図６に示すように、「立体ギャザーとして機能する部分」は、立体ギャザー形成用シート４０と表面シート３１と裏面シート３２とが固定された固定部６が吸収性本体３の側縁部３ｂ１より幅方向（Ｘ方向）外方に位置しているため、第１立体ギャザー４ａにおける固定部６から幅方向（Ｘ方向）外方の部分のことである。第２実施形態のおむつ１Ｂの一対の第１立体ギャザー４ａ，４ａそれぞれは、図６に示すように、固定部６から幅方向（Ｘ方向）に延出する部分の幅方向（Ｘ方向）の長さＷ１を四等分した、中心線ＣＬ寄りの最内方領域Ｄと、最内方領域Ｄに隣り合う第１領域Ｅと、第１領域Ｅの外方側に隣り合う領域Ｆと、最外方領域Ｇとを有している。
【００５４】
第２実施形態のおむつ１Ｂにおいては、図６に示すように、吸収体３３は、中央部３３ｃ上に、中央部３３ｃよりも幅の狭い上層吸収体３３ｄを備えている。上層吸収体３３ｄは、少なくとも股下部Ｃに延在している。おむつ１Ｂにおいては、おむつ１Ａと同様に、吸収体３３の両側部３３ｂ，３３ｂそれぞれと、両側部３３ｂ，３３ｂに挟まれた中央部３３ｃとの間に、吸収体３３（吸収体のコア）の配されていない一対の空間部３３ａ，３３ａを有している。
【００５５】
第２実施形態のパンツ型使い捨ておむつ１Ｂの形成材料について説明する。
第１立体ギャザー４ａ及び第２立体ギャザー４ｂに配される弾性部材４１は、第１実施形態のパンツ型使い捨ておむつ１Ａの立体ギャザー４に配される弾性部材４１と同じであり、上層吸収体３３ｄは、第１実施形態のパンツ型使い捨ておむつ１Ａの吸収体３３と同じである。その他の形成材料も、第１実施形態のおむつ１Ａの形成材料と同様である。
【００５６】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００５７】
第２実施形態のおむつ１Ｂは、図６に示すように、股下部Ｃにおいて、装着者の肌側に向かって起立する一対の第２立体ギャザー４ｂ，４ｂを更に備えているため、体液の横漏れを更に防止することができる。
【００５８】
第２実施形態のおむつ１Ｂは、図６に示すように、より幼児の体型に近い形の脚周り形状を有し、外観的に良好である。
【００５９】
次に、本発明の第３実施形態のパンツ型使い捨ておむつについて、図７，図８に基づいて説明する。
第３実施形態のパンツ型使い捨ておむつ１Ｃ（以下、「おむつ１Ｃ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００６０】
第３実施形態のおむつ１Ｃは、図７に示すように、吸収性本体３の両側部３ｂ，３ｂそれぞれに二対の立体ギャザー４ａ，４ｂが配されている点が、一対の立体ギャザー４のみが配されたおむつ１Ａと異なる。また、第３実施形態のおむつ１Ｃは、図７に示すように、吸収性本体３にも、吸収体３３の両側部３３ｂ，３３ｂを立ち上げる弾性部材３４が配されている点が、おむつ１Ａと異なる。
【００６１】
おむつ１Ｃの吸収性本体３は、図７，図８に示すように、吸収性本体３の両側部３ｂ，３ｂそれぞれに二対の立体ギャザー（第１立体ギャザー４ａ，第２立体ギャザー４ｂ）が配されている。第３実施形態のおむつ１Ｃにおいては、表面シート３１が、図７に示すように、裏面シート３２よりも幅方向（Ｘ方向）に長く、吸収体３３の幅方向（Ｘ方向）の外方端縁から延出した部分が、吸収体３３の非肌当接面側に折り返され裏面シート３２に接合され、且つ表面シート３１及び裏面シート３２は、吸収体３３の長手方向（Ｙ方向）の両端縁から延出した部分において互いに接合されている。このように接合することにより、縦長の長方形状の吸収性本体３が形成されている。
【００６２】
各第１立体ギャザー４ａ及び各第２立体ギャザー４ｂそれぞれは、パンツ型吸収性物品の展開且つ伸長状態において、立体ギャザー形成用シート４０と、立体ギャザー形成用シート４０の長手方向（Ｙ方向）に伸長状態で配された複数本の弾性部材４１とを有している。具体的には、第３実施形態のおむつ１Ｃにおいては、図７に示すように、立体ギャザー形成用シート４０は、一枚のシートであり、第２立体ギャザー４ｂの自由端側の頂部となる折れ線に沿って二つ折りされて二枚重ねのシートとされ、この二枚重ねのシートの間に長手方向（Ｙ方向）に伸長状態の複数本の弾性部材４１を配して接着剤により固定して第２立体ギャザー４ｂが形成されている。さらに、第３実施形態のおむつ１Ｃにおいては、図７に示すように、二枚重ねのシートは、幅方向（Ｘ方向）の外方に延出し、第１立体ギャザー４ａの自由端側の頂部となる折れ線に沿って更に二つ折りされて四枚重ねのシートとされ、この四枚重ねのシートを構成する二枚重ねのシート同士の間に長手方向（Ｙ方向）に伸長状態の複数本の弾性部材４１を配して接着剤により固定して第１立体ギャザー４ａが形成されている。第３実施形態のおむつ１Ｃにおいては、図７に示すように、二枚重ねのシートの先端部は、最終的に、表面シート３１又は吸収体３３と、裏面シート３２との間に配され、固定部６にて固定されている。各第２立体ギャザー４ｂは、複数本の弾性部材４１の収縮により、装着者の肌側に向かって起立するように形成されている。第３実施形態のおむつ１Ｃの第１立体ギャザー４ａは、第１実施形態のおむつ１Ａの立体ギャザー４と同様に、複数本の弾性部材４１の収縮により起立するように形成されている。
【００６３】
第３実施形態のおむつ１Ｃにおいては、図８に示すように、第１立体ギャザー４ａは、装着時に、固定部６を起点に起立するが、吸収性本体３の側縁部３ｂ１より幅方向（Ｘ方向）外方の部分が実質的に立体ギャザーとして機能している。その為、第３実施形態のおむつ１Ｃにおいては、図７に示すように、「立体ギャザーとして機能する部分」は、吸収性本体３の側縁部３ｂ１が、立体ギャザー形成用シート４０と表面シート３１と裏面シート３２とが固定された固定部６より幅方向（Ｘ方向）外方に位置しているため、第１立体ギャザー４ａにおける側縁部３ｂ１から幅方向（Ｘ方向）外方の部分のことである。第３実施形態のおむつ１Ｃの一対の第１立体ギャザー４ａ，４ａそれぞれは、図６に示すように、側縁部３ｂ１から幅方向（Ｘ方向）に延出する部分の幅方向（Ｘ方向）の長さＷ１を四等分した、中心線ＣＬ寄りの最内方領域Ｄと、最内方領域Ｄに隣り合う第１領域Ｅと、第１領域Ｅの外方側に隣り合う領域Ｆと、最外方領域Ｇとを有している。
【００６４】
第３実施形態のおむつ１Ｃにおいては、図７に示すように、吸収体３３は、吸収体３３の両側部３３ｂ，３３ｂそれぞれと、両側部３３ｂ，３３ｂに挟まれた中央部３３ｃとの間に、吸収体３３（吸収体のコア）の配されていない一対の空間部３３ａ，３３ａを備え、中央部３３ｃ上に、中央部３３ｃよりも幅の狭い上層吸収体３３ｄを備えている。上層吸収体３３ｄは、少なくとも股下部Ｃに延在している。おむつ１Ｃにおいては、図７に示すように、吸収性本体３は、両側部３３ｂ，３３ｂそれぞれの幅方向（Ｘ方向）外方端に、長手方向（Ｙ方向）に伸長状態の弾性部材３４を有している。各弾性部材３４は、側部３３ｂと表面シート３１との間で接着剤により固定されている。各弾性部材３４の伸縮力は、第１弾性部材４１ａの伸縮力よりも小さく、第１弾性部材４１ａ以外の弾性部材４１の伸縮力よりも大きいことが好ましい。弾性部材３４の伸縮力は、弾性部材３４の収縮により側部３３ｂの幅方向（Ｘ方向）外方端が起立し易い観点から、70％伸長させた状態での応力が、１〜３０ｃＮであることが好ましく、１〜２０ｃＮであることが更に好ましい。
【００６５】
第３実施形態のパンツ型使い捨ておむつ１Ｃの形成材料について説明する。
第１立体ギャザー４ａ及び第２立体ギャザー４ｂに配される弾性部材４１は、第１実施形態のパンツ型使い捨ておむつ１Ａの立体ギャザー４に配される弾性部材４１と同じであり、また、吸収性本体３に配された弾性部材３４も、第１実施形態のパンツ型使い捨ておむつ１Ａの立体ギャザー４に配される弾性部材４１と同じでる。また、おむつ１Ｃの上層吸収体３３ｄは、第１実施形態のパンツ型使い捨ておむつ１Ａの吸収体３３と同じである。その他の形成材料も、第１実施形態のおむつ１Ａの形成材料と同様である。
【００６６】
上述した本発明の第３実施形態のパンツ型使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００６７】
第３実施形態のおむつ１Ｃは、図７，図８に示すように、股下部Ｃにおいて、装着者の肌側に向かって起立する一対の第２立体ギャザー４ｂ，４ｂを更に備えているため、体液の横漏れを更に防止することができる。また、おむつ１Ｃは、図８に示すように、股下部Ｃにおいて、弾性部材３４の収縮力により、吸収体３３の側部３３ｂの幅方向（Ｘ方向）外方端が装着者の肌側に向かって起立するため、体液の横漏れを更に防止することができる。
【００６８】
第３実施形態のおむつ１Ｃは、図８に示すように、吸収体４の側部が起立して第3の立体ギャザーの役割も担うことができ、更に体液の横漏れを防止することができる。
【００６９】
本発明のパンツ型使い捨ておむつは、上述の第１，第２，第３実施形態のパンツ型使い捨ておむつに何ら制限されるものではなく、適宜変更可能である。また、上述の第１，第２，第３実施形態のパンツ型使い捨ておむつにおける各構成要件は、本発明の趣旨を損なわない範囲で、適宜組み合わせて実施できる。
【００７０】
例えば、上述の第１，第２，第３実施形態のパンツ型使い捨ておむつ１Ａ，１Ｂ，１Ｃにおいては、図３（ａ），図６，図７に示すように、吸収体３３が、吸収体３３（吸収体のコア）の配されていない一対の空間部３３ａ，３３ａを有しているが、空間部３３ａを有していなくてもよい。
【００７１】
また、上述の第１実施形態のパンツ型使い捨ておむつ１Ａにおいては、腹側シート２Ａが、腹側シート本体２０Ａ、及び装着時に腹側シート本体２０Ａの下縁２００に沿って下方に延出する腹側延出部分２１Ａを備えており、背側シート２Ｂが、背側シート本体２０Ｂ、及び背側延出部分２１Ｂを備えているが、腹側延出部分２１Ａ及び背側延出部分２１Ｂの一方を備えていなくてもよく、何れも備えていなくてもよい。
【００７２】
また、パンツ型吸収性物品は、幼児又は成人用のパンツ型使い捨ておむつの他、パンツ型の生理用ナプキン等であってもよい。
【符号の説明】
【００７３】
１Ａ，１Ｂ，１Ｃ  パンツ型使い捨ておむつ
２  外装体
２ａ  腹側部Ａにおける側縁部，２ｂ  背側部Ｂにおける側縁部
２Ａ  腹側シート
２０Ａ  腹側シート本体
２００  腹側シート本体の下縁
２０ａ  腹側シート本体の側縁部
２１Ａ  腹側延出部分
２０１  腹側延出部分の下縁
２１ａ  腹側延出部分の側縁部
２Ｂ  背側シート
２０Ｂ  背側シート本体
２００  背側シート本体の下縁
２０ｂ  背側シート本体の側縁部
２１Ｂ  背側延出部分
２０１  背側延出部分の下縁
２１ｂ  背側延出部分の側縁部
２２  外層シート
２３  内層シート
２４  弾性部材
３  吸収性本体
３ａ  吸収性本体の長手方向（Ｙ方向）の端部
３ｂ  吸収性本体の長手方向（Ｙ方向）の側部
３ｂ１  吸収性本体の長手方向（Ｙ方向）の側縁部
３１  表面シート
３２  裏面シート
３３  吸収体
３３ａ  吸収体の空間部
３３ｂ  吸収体の側部
３３ｃ  吸収体の中央部
３３ｄ  上層吸収体
３４  弾性部材
４  立体ギャザー
４０  立体ギャザー形成用シート
４１  弾性部材
４１ａ  第１弾性部材
４２  内側形成シート
４３  外側形成シート
Ｄ  最内方領域
Ｅ  第１領域
Ｆ  領域
Ｇ  最外方領域
Ｇ１  外方領域Ｇの先端（外方端）
５  サイドシール部
６  固定部
Ａ  腹側部，Ｂ  背側部，Ｃ  股下部
ＣＬ  おむつの長手方向に延びる中心線，ＣＴ  おむつの中心
【図１】
0005479865.tif 000002
【図２】
0005479865.tif 000003
【図３】
0005479865.tif 000004
【図４】
0005479865.tif 000005
【図５】
0005479865.tif 000006
【図６】
0005479865.tif 000007
【図７】
0005479865.tif 000008
【図８】
0005479865.tif 000009